(57)【要約】【課題】ステップ本体からの踏板の浮き上がり量を把握することができる乗客コンベアのステップ異常検出装置の提供。【解決手段】本発明は、ステップ本体からのステップ１の踏板２の異常な浮き上がりを検出する乗客コンベアのステップ異常検出装置であって、踏板２のステップ本体からの浮き上がり量を検出し、浮き上がり量に相応する検出信号を出力する浮き上がり量検出器、例えば可変抵抗器４と、この可変抵抗器４から出力された検出信号を入力する計測器５とを備え、この計測器５は、可変抵抗器４から出力された検出信号に基づいて踏板２の浮き上がり量を演算する演算部５ａと、この演算部５ａで演算された浮き上がり量を記憶する記憶部５ｂと、演算部５ａで演算された浮き上がり量を表示する表示部５ｃと、演算部５ａで演算された浮き上がり量を出力する出力部５ｄとを有している。【選択図】図２
2018024489.tif 000002
【特許請求の範囲】
【請求項１】
ステップ本体からのステップの踏板の異常な浮き上がりを検出する乗客コンベアのステップ異常検出装置であって、
前記踏板の前記ステップ本体からの浮き上がり量を検出し、前記浮き上がり量に相応する検出信号を出力する浮き上がり量検出器と、
前記浮き上がり量検出器から出力された前記検出信号を入力する計測器とを備え、
前記計測器は、前記浮き上がり量検出器から出力された前記検出信号に基づいて前記浮き上がり量を演算する演算部と、前記演算部で演算された前記浮き上がり量を記憶する記憶部とを有していることを特徴とする乗客コンベアのステップ異常検出装置。
【請求項２】
請求項１に記載の乗客コンベアのステップ異常検出装置であって、
前記計測器は、前記演算部で演算された前記浮き上がり量を表示する表示部を有していることを特徴とする乗客コンベアのステップ異常検出装置。
【請求項３】
請求項２に記載の乗客コンベアのステップ異常検出装置であって、
前記計測器は、前記演算部で演算された前記浮き上がり量を出力する出力部を有していることを特徴とする乗客コンベアのステップ異常検出装置。
【請求項４】
請求項１に記載の乗客コンベアのステップ異常検出装置であって、
前記浮き上がり量検出器は、可変抵抗器から成ることを特徴とする乗客コンベアのステップ異常検出装置。
【請求項５】
請求項４に記載の乗客コンベアのステップ異常検出装置であって、
前記可変抵抗器を保持する保持装置を備え、前記保持装置は、踏板上に転動可能に載置されたローラと、前記可変抵抗器が取り付けられており、固定部及び前記固定部に保持されて前記ローラの高さ位置に応じて移動し前記可変抵抗器を作動させる可動部を備えた伸縮部材とを有していることを特徴とする乗客コンベアのステップ異常検出装置。
【請求項６】
請求項５に記載の乗客コンベアのステップ異常検出装置であって、
前記保持装置は、
所定箇所に接着されたマグネット及び前記マグネットに連設されて上下方向に伸長する支柱とを備えたマグネットスタンドと、
前記マグネットスタンドの前記支柱に連結具を介して連結された第１連結部材と、
前記第１連結部材に連設されて上下方向に立設されており、前記伸縮部材の前記固定部を支持する第１支持部材と、
前記第１連結部材に連結軸を介して上下方向に回動可能に連結されており、前記ローラが保持された第２連結部材と、
前記第２連結部材に連結されて上下方向に立設されており、前記伸縮部材の前記可動部を支持する第２支持部材とを有していることを特徴とする乗客コンベアのステップ異常検出装置。
【請求項７】
請求項６に記載の乗客コンベアのステップ異常検出装置であって、
前記所定箇所は、乗客コンベアの乗降口に設置されたくし板から成ることを特徴とする乗客コンベアのステップ異常検出装置。
【発明の詳細な説明】
【技術分野】
【０００１】
本発明は、ステップの踏板の浮き上がり異常を検出する乗客コンベアのステップ異常検出装置に関する。
【背景技術】
【０００２】
この種の従来技術が特許文献１に開示されている。特許文献１に開示された従来技術は、ステップの移動方向と直交する左右方向に配置されるステップ本体上の一対のデマケーションクリート部分の上にそれぞれ載置される回転体と、左右方向に延設されて回転体のそれぞれに保持され、回転体のそれぞれと互いに回動または回転自在に接続される軸と、回転体のそれぞれのステップの移動方向に対する動きを規制する規制手段と、踏板に形成される凹凸部のうちの凸部に対して所定寸法の間隔をもって対向して配置され、軸と一体に設けられる検出片とを備えた構成となっている。
【０００３】
このように構成された従来技術は、ステップの移動に伴ってステップ本体からの浮き上がりを生じている踏板が検出片に衝合すると、検出片が揺動し、同時に検出片と一体に設けられた軸が回転体のそれぞれに対して回動する。すなわち、検出片の揺動を目視確認することによって、ステップ本体からの踏板の浮き上がりを検出できる。
【先行技術文献】
【特許文献】
【０００４】
【特許文献１】特開２０１１−１１６５１５号公報
【発明の概要】
【発明が解決しようとする課題】
【０００５】
特許文献１に開示された従来技術は、ステップの踏板がステップ本体から異常に浮き上がっているか否かを検出することはできるが、その浮き上がり量を把握することはできなかった。
【０００６】
上記課題を解決するために、本発明の目的は、ステップ本体からの踏板の浮き上がり量を把握することができる乗客コンベアのステップ異常検出装置を提供することにある。
【課題を解決するための手段】
【０００７】
上記課題を解決するために、本発明に係る乗客コンベアのステップ異常検出装置は、ステップ本体からのステップの踏板の異常な浮き上がりを検出する乗客コンベアのステップ異常検出装置であって、前記踏板の前記ステップ本体からの浮き上がり量を検出し、前記浮き上がり量に相応する検出信号を出力する浮き上がり量検出器と、前記浮き上がり量検出器から出力された前記検出信号を入力する計測器とを備え、前記計測器は、前記浮き上がり量検出器から出力された前記検出信号に基づいて前記浮き上がり量を演算する演算部と、前記演算部で演算された前記浮き上がり量を記憶する記憶部とを有していることを特徴としている。
【発明の効果】
【０００８】
本発明に係る乗客コンベアのステップ異常検出装置によれば、踏板の浮き上がり量を把握できるので、把握した浮き上がり量に対応して精度の高いステップ保守管理が可能となる。前述した以外の課題、構成及び効果は、以下の実施形態の説明により明らかにされる。
【図面の簡単な説明】
【０００９】
【図１】本発明の検出対象である乗客コンベアのステップの踏板部分を示す斜視図である。
【図２】本発明に係る乗客コンベアのステップ異常検出装置の一実施形態に備えられた電気系統を示す電気回路図である。
【図３】本実施形態に備えられた電気系統に含まれる可変抵抗器を保持する保持装置の構成を示す側面図である。
【図４】本実施形態の動作を説明する側面図である。
【図５】本実施形態に備えられた計測器の出力部から出力されたグラフに表示された踏板の浮き上がり量を示す図である。
【発明を実施するための形態】
【００１０】
以下、本発明に係る乗客コンベアのステップ異常検出装置の実施の形態を図面に基づいて説明する。
【００１１】
図１は、本発明の検出対象である乗客コンベアのステップの踏板部分を示す斜視図である。
【００１２】
この図１に示すように、本発明の検出対象である乗客コンベアのステップ１は、上面部分にステップ本体に溶接部を介して固定された踏板２を備えている。また、踏板２の周囲に配置されてステップ本体に取り付けられ、この位置に足を踏み込ませないように乗客に対して注意喚起する黄色等が施されたデマケーションクリートを備えている。
【００１３】
踏板２のクリート溝の中に小石等が挟まると、溝の間隔が広げられることがある。このように溝の間隔が広げられると、踏板２を上に凸となる湾曲状にしようとする力が生じる。この力が大きくなると踏板２をステップ本体に固定していた溶接部が破断して踏板２の浮き上がりを生じる。踏板２の異常な浮き上がりを生じると、踏板２が乗降口に設けられたくし板と衝合して、踏板２のめくれや、剥がれを生じやすい。
【００１４】
踏板２の浮き上がり量の許容値、すなわち正常上限値は例えば１ｍｍ程度である。この正常上限値を超えた浮き上がり量となったことが検出されたときには、踏板２は浮き上がり異常と判断され、その浮き上がりを生じている踏板２を正常な状態に戻す保守作業、あるいは踏板２を新しいものに交換する作業が必要になる。
【００１５】
図２は、本発明に係る乗客コンベアのステップ異常検出装置の一実施形態に備えられた電気系統を示す電気回路図である。
【００１６】
この図２に示すように、本実施形態に備えられた電気系統は、踏板２のステップ本体からの浮き上がり量を検出し、浮き上がり量に対応する検出信号を出力する浮き上がり量検出器、例えば可変抵抗器４と、この可変抵抗器４から出力された検出信号を入力する計測器５とを備えている。
【００１７】
可変抵抗器４に並設されて短絡防止抵抗器７が設けられており、可変抵抗器４と短絡防止抵抗器７は電源６に接続されている。また、可変抵抗器４と短絡防止抵抗器７は前述の計測器５に接続されている。
【００１８】
計測器５は、可変抵抗器４から出力された検出信号に基づいて踏板２の浮き上がり量を演算する演算部５ａと、この演算部５ａで演算された踏板２の浮き上がり量を記憶する記憶部５ｂとを有している。
【００１９】
また計測器５は、演算部５ａで演算された踏板２の浮き上がり量を表示する表示部５ｃと、演算部５ａで演算された浮き上がり量を例えばグラフ紙に印刷して出力する出力部５ｄとを有している。
【００２０】
図３は、本実施形態に備えられた電気系統に含まれる可変抵抗器を保持する保持装置の構成を示す側面図である。
【００２１】
この図３に示すように、本実施形態は可変抵抗器４を保持する保持装置１０を備えており、この保持装置１０は、踏板２上に転動可能に載置されたローラ１１と、可変抵抗器４が取り付けられており、固定部１２ａ及び固定部１２ａに保持されてローラ１１の高さ位置に応じて移動し可変抵抗器４を作動させる可動部１２ｂを備えた伸縮部材１２とを備えている。
【００２２】
また保持装置１０は、所定箇所例えば乗客コンベアの乗降口に設置された図４に示すくし板２３に接着された第１マグネット１３ａ及び第１マグネット１３ａに連設されて上下方向に伸長する第１支柱１３ｂとを備えた第１マグネットスタンド１３と、くし板２３に接着された第２マグネット１４ａ及び第２マグネット１４ａに連設されて上下方向に伸長する第２支柱１４ｂとを備えた第２マグネットスタンド１４とを有している。
【００２３】
また保持装置１０は、第１マグネットスタンド１３の第１支柱１３ｂ、及び第２マグネットスタンド１４の第２支柱１４ｂのそれぞれに連結具１５を介して連結された第１連結部材１６を有している。この第１連結部材１６は蝶ねじ１７を緩め、また締結することにより長さの調整が可能となっている。
【００２４】
また保持装置１０は、第１連結部材１６に連結されて上下方向に立設されており、伸縮部材１２の固定部１２ａを支持する第１支持部材１８を有している。
【００２５】
また保持装置１０は、第１連結部材１６に回動支点を形成する連結軸１９を介して上下方向に回動可能に連結されており、前述したローラ１１が保持された第２連結部材２０、すなわちローラ１１を保持する保持部材２１が取り付けられた第２連結部材２０を有している。
【００２６】
さらに保持装置１０は、第２連結部材２０に連結されて上下方向に立設されており、伸縮部材１２の可動部１２ｂを支持する第２支持部材２２を有している。
【００２７】
このように構成された本実施形態を用いて、踏板２の浮き上がり異常の有無を検出する際には、図４に示すように、第１マグネットスタンド１３の第１マグネット１３ａと第２マグネットスタンド１４の第２マグネット１４ａを乗降口を形成するくし板２３に接着し、ローラ１１をステップ１の踏板２上に載置する。
【００２８】
この状態で当該乗客コンベアを駆動してステップ１を移動させた際に、浮き上がりを生じているステップ１の踏板２上をローラ１１が転動するとローラ１１の高さがそれまでよりも高くなる。これに伴って第２連結部材２０が連結軸１９を中心に回動し、第２支持部材２２を介して伸縮部材１２の可動部１２ｂが収縮する方向に移動し、その移動量に応じた検出信号が可変抵抗器４から出力される。すなわち、ローラ１１で検出された踏板２の浮き上がり量に応じた検出信号が、可変抵抗器４から計測器５に出力される。
【００２９】
この際に、回動支点を形成する連結軸１９とローラ１１の中心との距離に比べて、連結軸１９と、第２支持部材２２と伸縮部材１２の可動部１２ｂとの接続部との距離が大きく設定されているので、伸縮部材１２の可動部１２ｂの移動量は、ローラ１１の高さ位置の変位量の数倍の値となる。例えば、ローラ１１が２ｍｍ浮き上がったときには、可動部１２ｂの移動量は４倍の８ｍｍとなる。これにより、可変抵抗器４から信頼性の高い検出信号を出力させることができる。
【００３０】
図５は、本実施形態に備えられた計測器の出力部から出力されたグラフに表示された踏板の浮き上がり量を示す図である。
【００３１】
この図５において、Ａは正常上限値、例えば１ｍｍの浮き上がり量を示すラインである。ＢはラインＡより上の異常浮き上がり量を示すラインである。また、図５中の複数本の縦線のうちの隣り合う縦線間が、１つのステップ１の踏板２における可変抵抗器４の検出信号に基づいて計測器５の演算部５ａで演算された浮き上がり量を示している。この図５を見て該当するステップ１の踏板２の異常浮き上がり量は、ラインＢ、例えば２ｍｍと把握される。なお、図５に示したグラフと同様のグラフが、例えば表示部５ｃでも表示可能になっている。
【００３２】
したがって、該当するステップ１の踏板２浮き上がり量を、ラインＡで示す正常上限値以下に調整する踏板２に対する保守作業、あるいは踏板２を新しいものに交換する作業が必要となる。
【００３３】
以上のように本実施形態によれば、計測器５の演算部５ａにおける演算によって踏板２の浮き上がり量を把握することができる。これにより本実施形態は、把握した踏板２の浮き上がり量に対応して精度の高いステップ１の保守管理が可能となる。
【００３４】
仮に、今回行われたステップ１の踏板２の浮き上がり量の検出作業では、正常上限値であるラインＡに至らないものの、ラインＡに接近する浮き上がり量が存在することが確認された場合には、次回の踏板２の浮き上がり量の検出作業でラインＡを超える異常浮き上がり量となることが予測される。したがって、該当するステップ１の踏板２に対しては、予め新しいものを用意しておくなどの事前準備が可能となる。
【００３５】
なお、各部の構成は図示の実施形態に限定されるものではなく、本発明の主旨を逸脱しない範囲で種々の変更が可能である。
【符号の説明】
【００３６】
１・・ステップ、２・・踏板、４・・可変抵抗器（浮き上がり量検出器）、５・・計測器、５ａ・・演算部、５ｂ・・記憶部、５ｃ・・表示部、５ｄ・・出力部、１０・・保持装置、１１・・ローラ、１２・・伸縮部材、１２ａ・・固定部、１２ｂ・・可動部、１３・・第１マグネットスタンド、１３ａ・・第１マグネット、１３ｂ・・第１支柱、１４・・第２マグネットスタンド、１４ａ・・第２マグネット、１４ｂ・・第２支柱、１５・・連結具、１６・・第１連結部材、１７・・蝶ねじ、１８・・第１支持部材、１９・・連結軸、２０・・第２連結部材、２２・・第２支持部材、２３・・くし板（所定箇所）
【図１】
2018024489.tif 000003
【図２】
2018024489.tif 000004
【図３】
2018024489.tif 000005
【図４】
2018024489.tif 000006
【図５】
2018024489.tif 000007